(57)【特許請求の範囲】
【請求項１】
ビデオ信号が外部から入力されるビデオ信号入力手段と、
オーディオ信号が外部から入力されるオーディオ信号入力手段と、
上記ビデオ入出力手段に入力されるビデオ信号から水平同期信号、垂直同期信号、及びフィールド識別信号を含む入力同期信号を検出する同期信号検出手段と、
上記同期信号検出手段によって検出されたフィールド識別信号に同期したサンプリングクロックや上記入力同期信号で乗り換えたビデオ信号をエンコードするビデオエンコーダと、
上記オーディオ信号入力手段に入力されたオーディオ信号に対してＡ／Ｄ変換処理を実行するオーディオＡ／Ｄコンバータと、
上記オーディオＡ／ＤコンバータによってＡ／Ｄ変換処理が実行されたオーディオ信号をエンコードするオーディオエンコーダと、
上記同期信号検出手段によって検出されたフィールド識別信号と、上記ビデオエンコーダによってエンコードされた乗り換えたビデオ信号に含まれるフィールド識別信号との位相誤差に応じて、上記ビデオエンコーダによってエンコードされたビデオ信号を出力する際のサンプリングクロックを生成するクロック生成手段と、
上記オーディオＡ／Ｄコンバータ又は上記オーディオエンコーダに、上記クロック生成手段によって生成されたサンプリングクロックを入力することで、オーディオ信号の上記オーディオエンコーダへの出力タイミングと、上記ビデオ信号の上記ビデオエンコーダへの出力タイミングとを同期させる同期制御手段と、
上記クロック生成手段によって生成されたサンプリングクロックから上記オーディオＡ／Ｄコンバータと上記オーディオエンコーダとを同期させる出力同期信号を生成する同期信号生成手段と、
上記オーディオエンコーダによってエンコードされたオーディオ信号を、上記同期信号生成手段によって生成された出力同期信号に従って外部に出力するオーディオ信号出力手段と、
上記クロック生成手段によって生成されたサンプリングクロックに基づいて、上記ビデオエンコーダによってエンコードされたビデオ信号を、上記オーディオエンコーダによってエンコードされたオーディオ信号と同期するように外部に出力するビデオ信号出力手段と
を備える信号処理装置。
【請求項２】
外部から入力されるビデオ信号から水平同期信号、垂直同期信号、及びフィールド識別信号を含む入力同期信号を検出する同期信号検出ステップと、
上記同期信号検出ステップで検出されたビデオ信号内のフィールド識別信号に同期したサンプリングクロックや上記入力同期信号で乗り換えたビデオ信号をエンコードする第１のエンコードステップと、
外部から入力されたオーディオ信号に対してＡ／Ｄ変換処理を実行するＡ／Ｄ変換ステップと、
上記Ａ／Ｄ変換ステップでＡ／Ｄ変換処理が実行されたオーディオ信号をエンコードする第２のエンコードステップと、
上記同期信号検出ステップで検出されたフィールド識別信号と、上記乗り換えたビデオ信号をエンコードするビデオエンコーダによってエンコードされたビデオ信号に含まれるフィールド識別信号との位相誤差に応じて、上記ビデオエンコーダによってエンコードされたビデオ信号を出力する際のサンプリングクロックを生成するクロック生成ステップと、
入力されたオーディオ信号に対してＡ／Ｄ変換処理を実行するオーディオＡ／Ｄコンバータ又はＡ／Ｄ変換処理が実行されたオーディオ信号をエンコードするオーディオエンコーダに、上記クロック生成ステップで生成されたサンプリングクロックを入力することで、オーディオ信号の上記オーディオエンコーダへの出力タイミングと、上記ビデオ信号の上記ビデオエンコーダへの出力タイミングとを同期させる同期制御ステップと、
上記クロック生成ステップで生成されたサンプリングクロックから上記オーディオＡ／Ｄコンバータと上記オーディオエンコーダとを同期させる出力同期信号を生成する同期信号生成ステップと、
上記オーディオエンコーダによってエンコードされたオーディオ信号を、上記同期信号生成ステップで生成された出力同期信号に従って外部に出力するオーディオ信号出力ステップと、
上記クロック生成ステップで生成されたサンプリングクロックに基づいて、上記ビデオエンコーダによってエンコードされたビデオ信号を、上記オーディオエンコーダによってエンコードされたオーディオ信号と同期するように外部に出力するビデオ信号出力ステップと
を含む信号処理方法。
【発明の詳細な説明】
【０００１】
【発明の属する技術分野】
本発明は、データを記録するときに、同期信号に従ってデータをエンコードするデータ記録システムに用いて好適なデータ処理装置及び方法に関する。
【０００２】
【従来の技術】
例えばＭＰＥＧ（Moving Picture Experts Group）規格等に代表されるディジタル画像圧縮処理は、所定の規則に従って入力される標準ビデオ信号をエンコードすることが前提となっている。従来では、実際に入力されるアナログビデオ信号は、ゲーム機器のように片フィールドのビデオ信号しか存在しない場合や、ＶＣＲ（Video Casette Recorder）の変速再生のように時間的にフレームの長さが異なる場合や、入力信号のチャンネル切り替えることによりフレームが不連続となる場合等による非標準ビデオ信号が入力されることが多い。このため、アナログビデオ信号をディジタルビデオ信号に変換してディジタル画像圧縮処理を行おうとすると、エンコードができない状態が発生することが多かった。
【０００３】
これに対し、従来では、上記非標準ビデオ信号を検出した場合には、一時的にエンコードを中断して非標準ビデオ信号となっているフレームについてはエンコードを行わずに、標準ビデオ信号となっているフレームからエンコードを再開することがされていた。すなわち、従来では、エンコードを一旦中止することで非同期ビデオ信号に対応していた。
【０００４】
また、従来では、フィールドビデオ信号が非標準ビデオ信号となっているときには、ライン数を減少又は増加させる等の処理を施すことにより非標準ビデオ信号を標準ビデオ信号に変換してエンコードをすることがされていた。
【０００５】
更に、従来では、入力ビデオ信号を一旦フレームメモリに格納し、入力時の同期信号とは非同期のマスタークロックを水晶発振器等で生成し、入力ビデオ信号を同期信号及びマスタークロックで読み出してエンコードする手法が知られている。
【０００６】
【発明が解決しようとする課題】
しかしながら、上述のエンコードを一旦中止する手法では、エンコードして出力するビデオデータが不連続になってしまうという問題点があった。
【０００７】
また、上述のライン数を制御する手法では、入力された原画像とは異なる画像をエンコードしなくてはならない等の問題点があった。
【０００８】
更に、上述の同期信号及びマスタークロックを用いて読み出してエンコードする手法では、入力時の同期信号とは同期していないマスタークロックを用いてフレームメモリからビデオ信号を読み出すので、同期信号でビデオ信号を読み出すときと、マスタークロックでビデオ信号を読み出すときとで、フレームメモリでのビデオ信号の遅延量が一定とならない。このように、遅延量が一定とならない場合には、同時に入力されるオーディオ信号との遅延量が不定となってしまうため、ビデオ信号とオーディオ信号との同期がずれてしまうという問題点があった。
【０００９】
そこで、本発明は、上述したような実情に鑑みて提案されたものであり、非標準信号が入力されたときであっても、エンコードをしてデータの記録を正確に行わせることができるデータ処理装置及び方法を提供することを目的とする。
【００１０】
【課題を解決するための手段】
本発明に係るデータ処理装置は、上述の課題を解決するために、ビデオ信号が外部から入力されるビデオ信号入力手段と、オーディオ信号が外部から入力されるオーディオ信号入力手段と、上記ビデオ入出力手段に入力されるビデオ信号から水平同期信号、垂直同期信号、及びフィールド識別信号を含む入力同期信号を検出する同期信号検出手段と、上記同期信号検出手段によって検出されたフィールド識別信号に同期したサンプリングクロックや上記入力同期信号で乗り換えたビデオ信号をエンコードするビデオエンコーダと、上記オーディオ信号入力手段に入力されたオーディオ信号に対してＡ／Ｄ変換処理を実行するオーディオＡ／Ｄコンバータと、上記オーディオＡ／ＤコンバータによってＡ／Ｄ変換処理が実行されたオーディオ信号をエンコードするオーディオエンコーダと、上記同期信号検出手段によって検出されたフィールド識別信号と、上記ビデオエンコーダによってエンコードされた乗り換えたビデオ信号に含まれるフィールド識別信号との位相誤差に応じて、上記ビデオエンコーダによってエンコードされたビデオ信号を出力する際のサンプリングクロックを生成するクロック生成手段と、上記オーディオＡ／Ｄコンバータ又は上記オーディオエンコーダに、上記クロック生成手段によって生成されたサンプリングクロックを入力することで、オーディオ信号の上記オーディオエンコーダへの出力タイミングと、上記ビデオ信号の上記ビデオエンコーダへの出力タイミングとを同期させる同期制御手段と、上記クロック生成手段によって生成されたサンプリングクロックから上記オーディオＡ／Ｄコンバータと上記オーディオエンコーダとを同期させる出力同期信号を生成する同期信号生成手段と、上記オーディオエンコーダによってエンコードされたオーディオ信号を、上記同期信号生成手段によって生成された出力同期信号に従って外部に出力するオーディオ信号出力手段と、上記クロック生成手段によって生成されたサンプリングクロックに基づいて、上記ビデオエンコーダによってエンコードされたビデオ信号を、上記オーディオエンコーダによってエンコードされたオーディオ信号と同期するように外部に出力するビデオ信号出力手段とを備える。
【００１１】
本発明に係るデータ処理方法は、上述の課題を解決するために、外部から入力されるビデオ信号から水平同期信号、垂直同期信号、及びフィールド識別信号を含む入力同期信号を検出する同期信号検出ステップと、上記同期信号検出ステップで検出されたビデオ信号内のフィールド識別信号に同期したサンプリングクロックや上記入力同期信号で乗り換えたビデオ信号をエンコードする第１のエンコードステップと、外部から入力されたオーディオ信号に対してＡ／Ｄ変換処理を実行するＡ／Ｄ変換ステップと、上記Ａ／Ｄ変換ステップでＡ／Ｄ変換処理が実行されたオーディオ信号をエンコードする第２のエンコードステップと、上記同期信号検出ステップで検出されたフィールド識別信号と、上記乗り換えたビデオ信号をエンコードするビデオエンコーダによってエンコードされたビデオ信号に含まれるフィールド識別信号との位相誤差に応じて、上記ビデオエンコーダによってエンコードされたビデオ信号を出力する際のサンプリングクロックを生成するクロック生成ステップと、入力されたオーディオ信号に対してＡ／Ｄ変換処理を実行するオーディオＡ／Ｄコンバータ又はＡ／Ｄ変換処理が実行されたオーディオ信号をエンコードするオーディオエンコーダに、上記クロック生成ステップで生成されたサンプリングクロックを入力することで、オーディオ信号の上記オーディオエンコーダへの出力タイミングと、上記ビデオ信号の上記ビデオエンコーダへの出力タイミングとを同期させる同期制御ステップと、上記クロック生成ステップで生成されたサンプリングクロックから上記オーディオＡ／Ｄコンバータと上記オーディオエンコーダとを同期させる出力同期信号を生成する同期信号生成ステップと、上記オーディオエンコーダによってエンコードされたオーディオ信号を、上記同期信号生成ステップで生成された出力同期信号に従って外部に出力するオーディオ信号出力ステップと、上記クロック生成ステップで生成されたサンプリングクロックに基づいて、上記ビデオエンコーダによってエンコードされたビデオ信号を、上記オーディオエンコーダによってエンコードされたオーディオ信号と同期するように外部に出力するビデオ信号出力ステップとを含む。
【００１２】
【発明の実施の形態】
以下、本発明の実施の形態について図面を参照しながら詳細に説明する。
【００１３】
本発明は、例えば図１に示すように構成された記録再生システム１に適用される。
【００１４】
この記録再生システム１は、ホストバス１Ａ上に記録再生装置２、ＲＡＭ（Random Access Memory）３、ＲＯＭ（Read Only Memory）４、システムコントローラ５が接続されて構成されている。この記録再生システム１では、システムコントローラ５により制御信号が入力されることで記録再生装置２の記録再生動作を制御する。システムコントローラ５は、ホストバス１Ａを介してＲＡＭ３、ＲＯＭ４を必要に応じてアクセスして記録再生システム１全体の制御をする。
【００１５】
先ず、記録再生装置２の記録動作について説明する。
【００１６】
記録再生装置２は、図２に示すように構成される。記録再生装置２は、アンテナ１１と接続されたアンテナ端子１２を介してチューナ１４で受信したビデオ信号又はアナログ入力端子１３ａ、１３ｂから入力したビデオ信号を、入力切換部１５、ＹＣ分離回路１６、スイッチ部１７、ＮＴＳＣ（National Television System Committee）デコーダ１８、プリ映像信号処理回路１９、ＭＰＥＧ（Moving Picture Experts Group）ビデオエンコーダ２０、多重／分離回路２１、バッファ制御回路２２を介してＨＤＤ（Hard Disc Drive）装置２３内の記録媒体にトランスポートストリームとして記録するように構成されている。
【００１７】
また、この記録再生装置２は、アンテナ１１と接続されたアンテナ端子１２を介してチューナ１４で受信したオーディオ信号又はアナログ入力端子１３ｃから入力したオーディオ信号を、入力切換部１５、オーディオＡ／Ｄコンバータ２４、ＭＰＥＧオーディオエンコーダ２５、多重／分離回路２１、バッファ制御回路２２を介してＨＤＤ装置２３内の記録媒体にトランスポートストリームとして記録するように構成されている。
【００１８】
アンテナ１１は、例えば地上波受信用アンテナからなり、ビデオ信号とオーディオ信号が重畳された電波を受信して、受信信号をチューナ１４に出力する。
【００１９】
チューナ１４は、アンテナ１１からの受信信号にデスクランブル処理、復調処理等を行うことでビデオ信号及びオーディオ信号を抜き出して入力切換部１５に出力する。
【００２０】
アナログ入力端子１３ａから入力された外部Ｓビデオ信号、アナログ入力端子１３ｂから入力されたコンポジットビデオ信号、アナログ入力端子１３ｃから入力されたオーディオ信号は、入力切換部１５に出力される。
【００２１】
入力切換部１５は、システムコントローラ５からの制御信号に従って、入力されたビデオ信号及びオーディオ信号を切換出力する。入力切換部１５は、ビデオ信号をＹＣ分離回路１６に出力するとともに、オーディオ信号をオーディオＡ／Ｄコンバータ２４に出力する。
【００２２】
ＹＣ分離回路１６は、コンポジットビデオ信号を用いてＹＣ分離処理をし、輝度信号（Ｙ）と色差信号（Ｃ）とからなるビデオ信号を生成してスイッチ部１７に出力する。
【００２３】
スイッチ部１７は、ＹＣ分離回路１６からビデオ信号及びアナログ入力端子１３ａに入力された外部Ｓビデオ信号が入力される。このスイッチ部１７は、システムコントローラ５からの制御信号に従って、外部Ｓビデオ信号又はＹＣ分離回路１６からのビデオ信号をＮＴＳＣデコーダ１８に出力する。
【００２４】
ＮＴＳＣデコーダ１８は、スイッチ部１７からのビデオ信号にＡ／Ｄ変換処理、クロマエンコード処理を施し、ビデオ信号をデジタルコンポーネントビデオ信号（以下、ビデオデータと呼ぶ。）に変換する処理をし、ビデオデータをプリ映像信号処理回路１９に出力する。
【００２５】
また、ＮＴＳＣデコーダ１８は、入力されたビデオ信号の水平同期信号を基準に生成したクロックと、同期分離して得た水平同期信号、垂直同期信号、フィールド識別信号を同期制御回路４０に出力する。
【００２６】
同期制御回路４０では、ＮＴＳＣデコーダ１８からの水平同期信号、垂直同期信号、フィールド識別信号に基づいて、ＮＴＳＣデコーダ１８からプリ映像信号処理回路１９への信号出力用のタイミング信号を生成してＮＴＳＣデコーダ１８に供給する。なお、この同期制御回路４０の構成は後述する。
【００２７】
プリ映像信号処理回路１９は、ＮＴＳＣデコーダ１８からのビデオデータにプリフィルター等の各種ビデオデータ処理を施し、ＭＰＥＧビデオエンコーダ２０及びポスト映像信号処理回路３２に出力する。
【００２８】
ＭＰＥＧビデオエンコーダ２０は、プリ映像信号処理回路１９からのビデオデータにブロックＤＣＴ（Discrete Cosine Transform：離散コサイン変換）処理、動き補償処理等のＭＰＥＧ符号化処理を施しビデオデータからなるエレメンタリストリーム（Ｅｌｅｍｅｎｔａｒｙ  Ｓｔｒｅａｍ）（以下、ビデオＥＳと呼ぶ。）を生成し、多重／分離回路２１に出力する。なお、本例では、ＭＰＥＧ方式を採用した圧縮処理を実行しているが、他の圧縮方式であってもよく、さらには圧縮処理を行わなくても良い。
【００２９】
一方、入力切換部１５からオーディオ信号が入力されるオーディオＡ／Ｄコンバータ２４では入力されたオーディオ信号にＡ／Ｄ変換処理を施し、オーディオデータをＭＰＥＧオーディオエンコーダ２５に出力する。
【００３０】
ＭＰＥＧオーディオエンコーダ２５は、ＭＰＥＧ方式に従ってオーディオデータを圧縮することによりオーディオデータからなるエレメンタリストリーム（以下、オーディオＥＳと呼ぶ。）を生成し、多重／分離回路２１に出力する。なお、本例では、ＭＰＥＧ方式を採用した圧縮処理を実行しているが、他の圧縮方式であってもよく、さらには圧縮処理を行わなくても良い。
【００３１】
多重／分離回路２１は、データ記録時には、ＭＰＥＧビデオエンコーダ２０からのビデオＥＳ、ＭＰＥＧオーディオエンコーダ２５からのオーディオＥＳ及び各種制御信号を用いた多重化処理をすることでトランスポートストリームを生成してバッファ制御回路２２に出力する。
【００３２】
バッファ制御回路２２は、多重／分離回路２１から連続的に入力されるトランスポートストリームを、後段のＨＤＤ装置２３に断続的に送出するための制御を行う。このバッファ制御回路２２は、例えばＨＤＤ装置２３がシーク動作を行っているときには、トランスポートストリームの書込ができないので内蔵しているバッファにトランスポートストリームを一時的に格納し、書込可能時となったら、多重／分離回路２１からの入力レートよりも高いレートで書込を行うことにより、連続的に入力されるトランスポートストリームをとぎれることなく記録するようにＨＤＤ装置２３を制御する。
【００３３】
ＨＤＤ装置２３は、内部に磁気ディスク等の記録媒体を備え、システムコントローラ５からの制御信号に従って、所定のアドレスにトランスポートストリームの記録を行う。ここで、バッファ制御回路２２とＨＤＤ装置２３との間のデータ入出力プロトコルとして、例えばＩＤＥ（Integrated Drive Electronics）を用いる。また、本例では、磁気ディスクを備える場合について説明したが、光ディスク、光磁気ディスク、固体メモリ等であっても良い。
【００３４】
つぎに、記録再生装置２の再生動作について説明する。
【００３５】
記録再生装置２は、ＨＤＤ装置２３から読み出したトランスポートストリームを、バッファ制御回路２２、多重／分離回路２１、ＭＰＥＧＡＶデコーダ３１でデコードすることでビデオデータ及びオーディオデータを作成して、ビデオデータをポスト映像信号処理回路３２、ＯＳＤ（On Screen Display）３３、ＮＴＳＣエンコーダ３４、ビデオ信号出力端子３５ａ、３５ｂを介して外部に出力して再生するように構成されている。また、この記録再生装置２は、ＭＰＥＧＡＶ（Audio／Video）デコーダ３１で作成したオーディオデータを、スイッチ部３６、オーディオＤ／Ａコンバータ３７、オーディオ信号出力端子３８を介してホストバス１Ａに出力して再生するように構成されている。
【００３６】
ＨＤＤ装置２３は、システムコントローラ５からのデータを再生する旨の制御信号に従って、所定のアドレスにシークし、トランスポートストリームを読み出し、バッファ制御回路２２に出力する。
【００３７】
バッファ制御回路２２では、断続的に入力されるトランスポートストリームを、連続的に出力するようにバッファ制御をし、トランスポートストリームを多重／分離回路２１に出力する。
【００３８】
多重／分離回路２１は、トランスポートストリームからＰＥＳ（Ｐａｃｋｔｉｚｅｄ  Ｅｌｅｍｅｎｔａｒｙ  Ｓｔｒｅａｍ）を抽出し、ＭＰＥＧＡＶデコーダ３１に出力する。
【００３９】
ＭＰＥＧＡＶデコーダ３１は、入力されたＰＥＳを、ビデオＥＳとオーディオＥＳとに分離し、ビデオＥＳ及びオーディオＥＳにデコード処理を施し、ビデオデータをポスト映像信号処理回路３２に出力するとともに、オーディオデータをスイッチ部３６に出力する。
【００４０】
ポスト映像信号処理回路３２には、ＭＰＥＧＡＶデコーダ３１及びプリ映像信号処理回路１９からビデオデータが入力される。このポスト映像信号処理回路３２では、システムコントローラ５からの制御信号に従って、プリ映像信号処理回路１９からのビデオデータとＭＰＥＧＡＶデコーダ３１からのビデオデータの出力切換、合成、フィルター処理を施し、ＯＳＤ３３にビデオデータを出力する。
【００４１】
ＯＳＤ３３は、ポスト映像信号処理回路３２からのビデオデータを用いて、画像表示用のグラフィックス等の生成を行うとともに、ビデオデータの合成表示、部分表示をするための表示制御処理を行い、ＮＴＳＣエンコーダ３４に出力する。
【００４２】
ＮＴＳＣエンコーダ３４では、ＯＳＤ３３からのビデオデータを輝度信号、色差信号に変換した後、Ｄ／Ａ変換処理を行い、アナログ方式のコンポジットビデオ信号及びＳビデオ信号を得て、コンポジットビデオ信号をビデオ信号出力端子３５ｂから出力するとともに、Ｓビデオ信号をビデオ信号出力端子３５ａから出力する。
【００４３】
一方、ＭＰＥＧＡＶデコーダ３１からオーディオデータが入力されるスイッチ部３６は、ＭＰＥＧオーディオエンコーダ２５からのオーディオ信号も入力する。このスイッチ部３６は、システムコントローラ５からの制御信号に従って、いずれかのオーディオデータをオーディオＤ／Ａコンバータ３７に出力する。
【００４４】
オーディオＤ／Ａコンバータ３７は、スイッチ部３６からのオーディオデータについてＤ／Ａ変換処理を行ってオーディオ信号を得て、オーディオ信号出力端子３８から出力する。
【００４５】
更に、この記録再生装置２は、ディジタル入出力端子２６から入力したビデオデータ及びオーディオデータを、ディジタルＩ／Ｆ回路２７、多重／分離回路２１、バッファ制御回路２２を介してＨＤＤ装置２３内の記録媒体にトランスポートストリームとして記録するように構成されている。
【００４６】
ディジタル入出力端子２６は、例えば外部のＩＲＤ（Ｉｎｔｅｇｒａｔｅｄ  Ｒｅｃｅｉｖｅｒ  Ｄｅｃｏｄｅｒ）と接続され、ＩＲＤからＩＥＥＥ（The Institute of Electrical and Electronics Engineers）１３９４等のディジタルインターフェースを介してビデオデータ、オーディオデータが入力され、ディジタルＩ／Ｆ回路２７に出力するとともに、ディジタルＩ／Ｆ回路２７からのビデオデータ及びオーディオデータを外部のＩＲＤに出力する。
【００４７】
ディジタルＩ／Ｆ回路２７は、ディジタル入出力端子２６と接続されたインターフェースに適合したフォーマット変換等の処理を施してトランスポートストリームを生成して多重／分離回路２１に出力する。記録再生装置２では、ディジタルＩ／Ｆ回路２７から多重／分離回路２１に入力されたトランスポートストリームを上述と同様にバッファ制御回路２２を介してＨＤＤ装置２３の記録媒体に記録する。
【００４８】
また、ディジタル入出力端子２６を介して入力されたデータを再生するときには、ＨＤＤ装置２３は、システムコントローラ５からの制御信号に従って、所定のアドレスからトランスポートストリームを読み出して、バッファ制御回路２２、多重／分離回路２１を介してディジタルＩ／Ｆ回路２７に出力する。
【００４９】
ディジタルＩ／Ｆ回路２７は、多重／分離回路２１から入力されたデータをディジタル入出力端子２６から出力するためのフォーマット変換等の処理をして、オーディオデータ及びビデオデータをディジタル入出力端子２６を介して出力することで再生をする。
【００５０】
次に、上述の同期制御回路４０の構成、動作について図３及び図４を参照して説明する。
【００５１】
この同期制御回路４０は、スイッチ部１７を介してＮＴＳＣデコーダ１８に内蔵されているＡ／Ｄ変換処理部１８ａ、同期検出回路１８ｂ、フレームシンクロナイザ１８ｃと接続される。同期制御回路４０は、同期検出回路１８ｂ及びフレームシンクロナイザ１８ｃと接続されたＰＬＬ（Phase Locked Loop）回路４１、ＰＬＬ回路４１に接続されたオーディオＰＬＬ回路４２を備える。
【００５２】
Ａ／Ｄ変換処理部１８ａは、スイッチ部１７からビデオ信号が入力され、Ａ／Ｄ変換処理を施してビデオデータとしてフレームシンクロナイザ１８ｃに出力する。
【００５３】
同期検出回路１８ｂは、スイッチ部１７からのビデオ信号が入力され、ビデオ信号から水平同期信号ＨＳ0、垂直同期信号ＶＳ0、フィールド識別信号ＦＤ0を検出する。この同期検出回路１８ｂは、水平同期信号ＨＳ0、垂直同期信号ＶＳ0、フィールド識別信号ＦＤ0をＰＬＬ回路４１及びフレームシンクロナイザ１８ｃに出力する。
【００５４】
また、同期検出回路１８ｂは、Ａ／Ｄ変換処理部１８ａでＡ／Ｄ変換処理を行うためのサンプリングクロックをビデオ信号から検出する。この同期検出回路１８ｂは、検出したサンプリングクロックＣＫ0をＡ／Ｄ変換処理部１８ａ及びフレームシンクロナイザ１８ｃに出力する。
【００５５】
フレームシンクロナイザ１８ｃは、Ａ／Ｄ変換処理部１８ａからのビデオデータを一時的に格納する。このとき、フレームシンクロナイザ１８ｃは、同期検出回路１８ｂからサンプリングクロックＣＫ0でサンプリングされたビデオデータを、同期検出回路１８ｂから出力される同期信号（水平同期信号ＨＳ0、垂直同期信号ＶＳ0、フィールド識別信号ＦＤ0）により内部のメモリに書き込む。
【００５６】
また、フレームシンクロナイザ１８ｃは、ＰＬＬ回路４１からの同期信号に従って、ビデオデータを後段のプリ映像信号処理回路１９及びＭＰＥＧビデオエンコーダ２０に出力する。
【００５７】
ＰＬＬ回路４１は、位相比較器５１、ＶＣＯ（Voltage Controlled Osillator）５２、フレームカウンタ５３がループ状に接続されてなり、同期検出回路１８ｂ及びフレームカウンタ５３の信号出力端及びＶＣＯ５２の信号入力端と接続された位相比較器５１、位相比較器５１の信号出力端及びフレームシンクロナイザ１８ｃの信号入力端と接続されたＶＣＯ５２、ＶＣＯ５２の信号出力端及び位相比較器５１の信号入力端と接続されたフレームカウンタ５３を備える。
【００５８】
位相比較器５１は、同期検出回路１８ｂからのフィールド識別信号ＦＤ0及びフレームカウンタ５３からのフィールド識別信号ＦＤ1が入力される。この位相比較器５１は、フィールド識別信号ＦＤ0とフィールド識別信号ＦＤ1との位相の誤差を検出し、誤差信号をＶＣＯ５２に出力する。
【００５９】
ＶＣＯ５２は、位相比較器５１からの誤差信号に基づいてサンプリングクロックＣＫ1を生成する。このＶＣＯ５２は、生成したサンプリングクロックＣＫ1をフレームカウンタ５３及びフレームシンクロナイザ１８ｃに出力する。これにより、ＶＣＯ５２は、発振周波数を変化させる。
【００６０】
フレームカウンタ５３は、ＶＣＯ５２からのサンプリングクロックＣＫ1を用いて、水平同期信号ＨＳ1、垂直同期信号ＶＳ1及びフィールド識別信号ＦＤ1を生成する。このフレームカウンタ５３は、水平同期信号ＨＳ1、垂直同期信号ＶＳ1及びフィールド識別信号ＦＤ1をフレームシンクロナイザ１８ｃに出力するとともに、フィールド識別信号ＦＤ1を位相比較器５１に出力する。
【００６１】
オーディオＰＬＬ回路４２は、ＶＣＯ５２からのサンプリングクロックＣＫ1が入力され、サンプリングクロックＣＫ1を用いてオーディオＡ／Ｄコンバータ２４及びＭＰＥＧオーディオエンコーダ２５の処理タイミングを制御する同期信号を生成する。このオーディオＰＬＬ回路４２は、ビデオのマスタークロックであるサンプリングクロックＣＫ1（例えば２７ＭＨｚ）と同期したオーディオマスタークロックを作り出す。
【００６２】
ＰＬＬ回路４１では、例えば同期検出回路１８ｂで検出したフィールド識別信号ＦＤ0が図４（ａ）に示すような信号であるとき、フィールド識別信号ＦＤ0とは逆の位相（逆フィールド）でロックするようなフィールド識別信号ＦＤ1を生成する（図４（ｃ））。ここで、垂直同期信号ＶＳ0及び垂直同期信号ＶＳ1はフィールド識別信号ＦＤ0及びフィールド識別信号ＦＤ1の立ち上がりタイミング及び立ち下がりタイミングで発生する（図４（ｂ）、（ｄ））。また、オーディオＡ／Ｄコンバータ２４へのオーディオ信号の入力タイミング（図４（ｅ））に同期して、ＭＰＥＧオーディオエンコーダ２５にオーディオデータが入力されている（図４（ｆ））。
【００６３】
図４によれば、フレームシンクロナイザ１８ｃは、同期信号（水平同期信号ＨＳ1、垂直同期信号ＶＳ1、フィールド識別信号ＦＤ1）に従ってフレーム内の各ビデオデータを読み出すとともに、ＶＣＯ５２で生成されたサンプリングクロックＣＫ1に従って１フレームのビデオデータを読み出してプリ映像信号処理回路１９及びＭＰＥＧビデオエンコーダ２０に出力する。また、オーディオＡ／Ｄコンバータ２４からＭＰＥＧオーディオエンコーダ２５への入力タイミングは、オーディオＰＬＬ回路４２によりビデオデータのフレームシンクロナイザ１８ｃの出力タイミングと同期している。
【００６４】
このように構成された記録再生装置２は、スイッチ部１７からＮＴＳＣデコーダ１８、プリ映像信号処理回路１９を介してＭＰＥＧビデオエンコーダ２０に入力されたビデオデータそのものでなく、入力されたビデオ信号のフィールド識別信号ＦＤ0に同期したサンプリングクロックＣＫ1や同期信号（水平同期信号ＨＳ1、垂直同期信号ＶＳ1、フィールド識別信号ＦＤ1）で乗り換えたビデオデータを用いてエンコードすることができる。
【００６５】
つぎに、記録再生装置２により、不連続な非標準信号が入力されたときの動作について図５を参照して説明する。ビデオデータのフレームが不連続となる以前までは、記録再生装置２は、図４に示すように、ビデオデータとオーディオデータのエンコーダ入力タイミングが同期している通常動作となっている。ここで、ビデオデータが不連続となったときには、ＰＬＬ回路４１がフリーラン状態となり、ビデオデータとオーディオデータの同期がずれ、各エンコーダへの入力タイミングがずれることになる。ここで、ＰＬＬ回路４１は、フィールド識別信号ＦＤ１を用いた再度同期動作をして、再ロックをして通常動作に復帰する。
【００６６】
これにより、記録再生装置２では、片フィールドのビデオ信号しか存在しない場合や、ＶＣＲの変速再生のように時間的にフレームの長さが異なる場合や、入力信号のチャンネル切り替えることによりフレームが不連続となる場合等の非標準ビデオ信号が入力された場合においても、ＰＬＬ回路４１によりこの影響を緩和し、フレームカウンタ５３で生成する正確な水平同期信号ＨＳ1、垂直同期信号ＶＳ1、フィールド識別信号ＦＤ1で読み出してエンコードすることができる。したがって、この記録再生装置２では、ＭＰＥＧ方式のように所定の規則に従って入力される標準ビデオ信号をエンコードすることが前提となっている場合であっても、非標準ビデオ信号の影響を最小限にしてエンコードすることができる。
【００６７】
また、この記録再生装置２によれば、ＰＬＬ回路４１がロックしている範囲において、サンプリングクロックＣＫ1をオーディオＡ／Ｄコンバータ２４又はＭＰＥＧオーディオエンコーダ２５に入力することでオーディオデータのＭＰＥＧオーディオエンコーダ２５への出力タイミングとビデオデータのＭＰＥＧビデオエンコーダ２０への出力タイミングとを同期させることができるとともに、ビデオデータの遅延を一定とすることができるため、ビデオデータの遅延量を一定とすることにより、ビデオデータとオーディオデータの遅延量を一定にすることができるために、正確にビデオデータとオーディオデータとの同期をあわせてエンコードすることができる。
【００６８】
また、フレームシンクロナイザ１８ｃの書き込みと読み出しのタイミングはＰＬＬ回路４１によって位相が保持されるため、フレームシンクロナイザ１８ｃでのビデオデータの遅延は一定になり、ビデオデータとオーディオデータとの同期がずれるようなことはなく、更にはフレームの追い越しや繰り返しを発生させるようなことがない。
【００６９】
更に、記録再生装置２において、ＰＬＬ回路４１が追従できないようなビデオ信号が入力されたときには、ＰＬＬ回路４１のフリーラン状態が発生して、フレームシンクロナイザ１８ｃの書き込みと読み出しの位相は保たれないが、フレームカウンタ５３はフリーラン状態のクロックを用いて正確な同期信号（水平同期信号ＨＳ1、垂直同期信号ＶＳ1、フィールド識別信号ＦＤ1）を生成することにより、エンコードが中止されるようなことはない。
【００７０】
【発明の効果】
以上詳細に説明したように、本発明に係るデータ処理装置及び方法は、入力されたビデオ信号から入力同期信号を検出するとともに、入力されたビデオ信号及びオーディオ信号を一旦記憶し、入力同期信号を用いて、ビデオ信号を出力するときの出力同期信号を生成し、出力同期信号に従って、記憶したビデオ信号及びオーディオ信号を出力するので、非標準信号が入力されたときであっても、エンコードをしてデータの記録を正確に行わせることができる。
【図面の簡単な説明】
【図１】本発明を適用した記録再生システムの構成を示すブロック図である。
【図２】本発明を適用した記録再生装置の構成を示すブロック図である。
【図３】本発明を適用した記録再生装置のＮＴＳＣデコーダ及び同期制御回路の構成を示すブロック図である。
【図４】同期制御回路の動作を説明するためのタイミングチャートを示す図である。
【図５】非標準ビデオ信号が入力されたときの同期制御回路の動作を説明するためのタイミングチャートを示す図である。
【符号の説明】
１  記録再生システム、２  記録再生装置、１８  ＮＴＳＣデコーダ、１８ａＡ／Ｄ変換処理部、１８ｂ  同期検出回路、１８ｃ  フレームシンクロナイザ、１９  プリ映像信号処理回路、２０  ＭＰＥＧビデオエンコーダ、４０  同期制御回路、４１  ＰＬＬ回路、５１  位相比較器、５２  ＶＣＯ、５３  フレームカウンタ
【図１】
0004352567.tif 000002
【図２】
0004352567.tif 000003
【図３】
0004352567.tif 000004
【図４】
0004352567.tif 000005
【図５】
0004352567.tif 000006